(57)【要約】      （修正有）【課題】筆記用具等で書いた情報、文字等を擦って消し取ることが可能な表面を有する光学ディスクの提供。【解決手段】透明基板２４と、記録層２３と、反射層２２と、消し取り可能な書き込み層１０から構成される光学ディスク。記録層２４は透明基板２３と反射層２２の間に形成され、反射層２３は記録層２２と消し取り可能な層１０の間に形成されている。光学ディスクはさらに保護層２１を含むことができ、該保護層２１は消し取り可能な書き込み層１０と反射層２２の間に形成される。【選択図】図２
2005141886.tif 000002
【特許請求の範囲】
【請求項１】
透明基板と、記録層と、反射層と、消し取り可能な書き込み層とを含んでなる、消し取り可能な表面を備える光学ティスクであって、
前記記録層は前記透明基板と前記反射層との間に形成され、かつ、前記反射層は前記記録層と前記消し取り可能な書き込み層との間に形成されている光学ディスク。
【請求項２】
前記消し取り可能な書き込み層と前記反射層との間に形成された保護層を更に含んでなる請求項１の光学ディスク。
【請求項３】
前記透明基板はポリカーボネートからなり、前記記録層は、シアニン化合物またはアゾ染料化合物を含む有機染料からなる請求項２の光学ディスク。
【請求項４】
前記記録層は１ルートディレクトリ構造である請求項３の光学ディスク。
【請求項５】
前記記録層は２ルートディレクトリ構造である請求項３の光学ディスク。
【請求項６】
消し取り可能な表面を有する光学ディスクの製造方法であって、
（１）モールディングマシーンの型の上にＤＶＤ母材ディスクをのせ、
（２）射出形成により基板を形成し、
（３）ステップ（２）で形成した基板上に記録層を形成し、
（４）ステップ（３）で形成した記録層上に反射層を形成し、
（５）ステップ（４）で形成した反射層上に消し取り可能な書き込み層を形成する、
ステップを含んでなる方法。
【請求項７】
前記反射層と前記消し取り可能な書き込み層の間に保護層を形成するステップを更に含む請求項６の方法。
【請求項８】
前記記録層はスピンコーティングにより形成され、前記反射層はスパッターコーティングにより形成される請求項７の方法。
【請求項９】
前記光学ディスクに２ルートディレクトリを設けるステップをさらに含む請求項８の方法。
【請求項１０】
前記光学ディスクはＤＶＤ、ＣＤ又はＶＣＤである請求項６の方法。
【発明の詳細な説明】
【技術分野】
【０００１】
本発明は光学式記憶メディア及びその製造方法に関し、特に、消し取り可能な表面を有する光学ディスクに関する。
【背景技術】
【０００２】
ＤＶＤ（digital versatile disk）は従来のＣＤ−ＲＯＭから発展したものであり、それと同じ直径を有する。ＤＶＤは、音楽、映像その他一般のデジタルデータのような種々のデータ情報を記憶するために用いられる。ＤＶＤに記憶されたデータ情報は、従来の記録メディアに記憶されたものよりも優れた品質を持つ。更に、ＤＶＤの容量は、トラック幅を小さくし記録方式を変えることで、どんどん大きくなってきている。動画の記録にＭＰＥＧ２デジタル圧縮技術が用いられ、その質はＬＤ、ＶＨＳビデオテープ、及び現在のＶＣＤ光学ディスクを超える。データの記録にドルビーＡＣ３音響技術が用いられる。
【０００３】
従来技術である図１を参照すると、片面ＤＶＤは４.７ＧＢの容量を持ち、１３５分以上の高画質フィルムを記録できる。この容量は従来のＣＤの７倍に相当するが、ＤＶＤの寸法はＣＤのものと同じである。加うるに、ＤＶＤは１つのルートディレクトリを持つものと、２つのルートディレクトリを持つものとに分類される。１つのルートディレクトリを持つＤＶＤは４.７ＧＢの容量を持つ。２つのルートディレクトリを持つ片面ＤＶＤはデータを片面に記録するが、２つの異なるルートディレクトリを利用することで、２層記録を行うことができる。このため、片面ＤＶＤの容量を８.７ＧＢにすることができる。
【０００４】
しかしながら、光学ディスクはその表面に有用な情報を書き込み記録することが非常に困難であり、また、その表面特性のために書き込んだものを消し取ることことができない。
【０００５】
従って、上に述べた従来技術の欠点を解消することができる、消し取り可能な（筆記具等で書いた情報、文字等を擦って消し取ることができる意）表面を有する光学ディスク及びその製造方法を提供することが望まれている。
【発明の開示】
【０００６】
本発明の目的は、消し取り可能な表面を有する光学ディスク及びその製造方法を提供することである。
【０００７】
上記目的を達成するため、消し取り可能な表面を有する光学ディスクは、透明基板と、記録層と、そして反射層と、消し取り可能な書き込み層とを有する。本発明において、記録層は透明基板と反射層の間に形成され、反射層は記録層と消し取り可能な書き込み層の間に形成されている。
【０００８】
本発明において、記録層は、１ルートディレクトリ又は２ルートディレクトリ構造を有する。光学ディスクは更に保護層を含むことができ、この保護層は消し取り可能な書き込み層と反射層の間に置かれる。透明基板はポリカーボネートから作ることができ、記録層は、シアニン化合物又はアゾ染料化合物を含む有機染料からなる。
【０００９】
消し取り可能な表面を有する光学ディスクの製造方法は、（１）モールディングマシーンの型の上にＤＶＤ母材ディスクを載せ、（２）射出成形により透明基板を形成し、（３）ステップ（２）において形成された透明基板上に記録層を形成し、（４）ステップ（３）において形成された記録層上に反射層を形成し、（５）ステップ（４）において形成された反射層上に消し取り可能な書き込み層を形成する経時的なステップを含んでなる。
【００１０】
本発明において、この方法は、前記反射層と前記消し取り可能な書き込み層の間に保護層を更に含む。記録層はスピンコーティングにより形成され、反射層はスパッターコーティングにより形成される。方法は、光学ディスクに２ルートディレクトリを作るステップを更に含む。光学ディスクは、ＤＶＤ、ＣＤ、ＶＣＤとすることができる。
【発明の実施するための最良の形態】
【００１１】
発明の理解を容易にする目的で、１つの実施の形態をここで添付図面を参照して説明する。
【００１２】
ここで図を詳細に説明し、図２は、本発明に従った消し取り可能な表面を備える（ＤＶＤのような）光学ディスクを示す。光学ディスクは透明基板２４と、該透明基板２４上に形成された記録層２３と、該記録層２３上に位置する反射層２２を含んでなる。本発明において、光学ディスクは、反射層２２上に消し取り可能な書き込み層１０を更に含む。該消し取り可能な書き込み層１０は、ポリカーボネート（ＰＣ）を除く、一種のプラスチックから作られている。
【００１３】
好ましくは、光学ディスクはまた、反射層２２と消し取り可能な書き込み層１０との間に保護層２１を有する。本発明の光学ディスクは、短い波長、特に、６３５−６５０ｎｍの波長のレーザ光を用いる光学記録に適する。記録層は１ルートディレクトリ又は２ルートディレクトリ構造とすることができる。
【００１４】
本発明の消し取り可能な表面を有する光学ディスクの製造方法は、最初にモールディングマシーンの型の上にＤＶＤ母材ディスクを載せ、次に射出成形により透明基板２４を形成し、その後、スピンコーティングにより透明基板２４上に記録層を２３を形成する。その後、スパッターコーティングにより記録層２３上に反射層２２を形成する。最後に、反射層２２上に消し取り可能な書き込み層１０を形成して、本発明の消し取り可能な表面を有する光学ティスクが完成することになる。
【００１５】
本発明において、方法は、反射層２２と書き込み層１０の間に保護層２１を形成するステップを含む。透明基板２４はポリカーボネート（ＰＣ）から作られ、記録層２３は、シアン化合物又はアゾ染料化合物を含んでなる有機染料からなる。
【００１６】
上記方法において、消し取り可能な表面を有する異なる光学ディスクを製造することができる。例えば、光学ディスクを０.６ｍｍ厚のＤＶＤ−Ｒ又はＤＶＤ−ＲＷ（すなわち、ＤＶＤ−５又はＤＶＤ−９）とすることができる。
【００１７】
消し取り可能な表面を有する光学ディスクは消し取り可能な書き込み層１０を有するので、光学ディスクの使用及び管理をしやすくするために、光学ディスク上に何らかの有用な情報を書いて記録することができる。同時に、光学ディスク、特にＤＶＤはＣＤ−ＲＯＭの容量（約６５０ＭＢ）を超えるのみではなく、ハードディスクの容量（約２ＧＢから４ＧＢ）をも超える。即ち、消し取り可能な表面及び１ルートディレクトリ記録層を有するＤＶＤの場合、４.７ＧＢの容量を有し、２ルートディレクトリ記録層を備え消し取り可能な表面を有するＤＶＤの場合、８.５ＧＢの容量を有する。さらに、光学ディスクは１層の読み／書き光学ディスクと、２層の読み／書き光学ディスクとに分類される。
【００１８】
ＶＣＤやＣＤにもまた消し取り可能な層１０を形成することができ、それにより消去機能を得ることができることは極めて明白である。そういった光学ディスクを製造する方法は、ＤＶＤの製造方法と非常に似ているので、その方法を詳細に説明することは省略する。
【００１９】
発明をその技術的思想から逸脱することなく別の態様とすることもできることが理解される。従って、例示の実施の態様はすべての面において、説明的なものかつ非限定的なものであり、それに限定されるものではない。
【図面の簡単な説明】
【００２０】
【図１】従来技術の片面光学ティスクの断面図である。
【図２】本発明の実施の形態に基づく消し取り可能な表面を有する光学ディスクの断面図である。
【符号の説明】
【００２１】
１０  書き込み層
２１  保護層
２２  反射層
２３  記録層
２４  透明基板
【図１】
2005141886.tif 000003
【図２】
2005141886.tif 000004